(57)【特許請求の範囲】
【請求項１】
基板と、
前記基板の主面に設けられ、前記基板の光の透過率よりも低い光の透過率を有する膜部と、
前記膜部に設けられ、被転写体に転写されるパターンと、
前記膜部に設けられ、前記被転写体への転写が抑制されるように透過光の強度が抑制された検出マークと、
を備え、
前記検出マークは、光の透過を抑制することで前記被転写体におけるコントラストを低下させる第２の制御部を有することを特徴とするフォトマスク。
【請求項２】
前記検出マークは、光を透過させることで前記被転写体におけるコントラストを低下させる第１の制御部をさらに有することを特徴とする請求項１記載のフォトマスク。
【請求項３】
前記検出マークは、第１の方向に設けられた第１の縁と、前記第１の方向に交差する第２の方向に設けられた第２の縁と、を有することを特徴とする請求項１または２に記載のフォトマスク。
【請求項４】
前記検出マークは、矩形形状を有し、前記矩形形状の幅寸法が１６０ｎｍ未満とされたことを特徴とする請求項１〜３のいずれか１つに記載のフォトマスク。
【請求項５】
前記検出マークは、前記パターンと前記検出マークの中心との間の寸法が２μｍ以上となるように設けられたこと、を特徴とする請求項１〜４のいずれか１つに記載のフォトマスク。
【発明の詳細な説明】
【技術分野】
【０００１】
後述する実施形態は、概ね、フォトマスクに関する。
【背景技術】
【０００２】
近年、半導体装置などの微細構造体において形成されるパターンの微細化が進んでいる。そのため、この様な微細なパターンを形成するためのフォトリソグラフィー工程において使用されるフォトマスクに対して、極めて厳しい精度が要求されるようになってきている。  ここで、フォトマスクの描画領域に形成された検出マークをウェーハの露光面に転写し、転写された検出マークを検出することでフォトマスク自体の精度を検査する技術が提案されている。  
しかしながら、検出マークがウェーハの露光面に転写されるため、検出マークを形成する位置に大きな制約が生じることになる。  
そのため、検査計測精度が悪くなり、精度の高いフォトマスクを製造することが困難となっていた。
【先行技術文献】
【特許文献】
【０００３】
【特許文献１】特開２００８−１４５９１８号公報
【発明の概要】
【発明が解決しようとする課題】
【０００４】
本発明の実施形態が解決しようとする課題は、検査計測精度の向上を図ることができるフォトマスクを提供することである。
【課題を解決するための手段】
【０００５】
実施形態に係るフォトマスクは、基板と、前記基板の主面に設けられ、前記基板の光の透過率よりも低い光の透過率を有する膜部と、前記膜部に設けられ、被転写体に転写されるパターンと、前記膜部に設けられ、前記被転写体への転写が抑制されるように透過光の強度が抑制された検出マークと、を備え、前記検出マークは、光の透過を抑制することで前記被転写体におけるコントラストを低下させる第２の制御部を有する。
【図面の簡単な説明】
【０００６】
【図１】第１の実施形態に係るフォトマスクを例示するための模式図である。（ａ）は第１の実施形態に係るフォトマスクの模式平面図、（ｂ）は（ａ）におけるＡ−Ａ矢視断面の模式拡大図、（ｃ）は（ｂ）におけるＢ−Ｂ矢視図である。
【図２】（ａ）、（ｂ）は、検出マークの配設形態を例示するための模式平面図である。
【図３】検出マークが被転写体に転写されないようにするための寸法条件などを例示するための模式図である。
【図４】転写された際のコントラストが低くなるような検出マークを例示するための模式図である。（ａ）はコントラストの調整が行われる前の検出マークを例示するための模式図、（ｂ）は露光における照明形状を例示するための模式図、（ｃ）は被転写体におけるコントラストを例示するための模式図、（ｄ）はコントラストの調整が行われた後の検出マークを例示するための模式図である。
【図５】（ａ）、（ｂ）は、転写された際のコントラストが低くなるような検出マークの形状を例示するための模式図である。
【図６】（ａ）〜（ｃ）は、第２の実施形態に係るフォトマスクの製造方法について例示をするための模式工程断面図である。
【図７】フォトマスクの製造工程を例示するためのフローチャートである。
【発明を実施するための形態】
【０００７】
以下、図面を参照しつつ、実施の形態について例示をする。  
なお、各図面中、同様の構成要素には同一の符号を付して詳細な説明は適宜省略する。  また、一例として、本実施の形態に係るフォトマスクがハーフトーン型位相シフトマスクである場合を例に挙げて説明する。  
[第１の実施形態]  
まず、第１の実施形態に係るフォトマスクについて例示する。  
図１は、第１の実施形態に係るフォトマスクを例示するための模式図である。  
なお、図１（ａ）は第１の実施形態に係るフォトマスクの模式平面図、図１（ｂ）は図１（ａ）におけるＡ−Ａ矢視断面の模式拡大図、図１（ｃ）は図１（ｂ）におけるＢ−Ｂ矢視図である。ただし、図１（ａ）においては、煩雑化を避けるために後述するパターン６を省くものとし、検出マーク７の配設形態を概念的に表すようにしている。
【０００８】
図１（ａ）、（ｂ）に示すように、フォトマスク１には、基板２、膜部３、遮光膜４、描画領域５、パターン６、検出マーク７が設けられている。  
基板２は、例えば、矩形の平板状を呈し、透光性の高い材料から形成されるようにすることができる。基板２は、例えば、石英ガラスなどから形成されるものとすることができる。
【０００９】
膜部３は、基板２の一方の主面に設けられ、基板２の光の透過率よりも低い光の透過率を有したものとすることができる。膜部３は、いわゆるハーフトーン膜とすることができる。膜部３は、例えば、フッ化クロム系（ＣｒＦ）、モリブデンシリサイド系（ＭｏＳｉＯＮ、ＭｏＳｉＯ）、タングステンシリサイド系（ＷＳｉＯ）、ジルコニウムシリサイド系（ＺｒＳｉＯ）などの材料から形成され、深紫外光の透過率が数％程度とされたものとすることができる。  
遮光膜４は、基板２の周縁領域において、膜部３を覆うようにして設けられている。遮光膜４は、例えば、クロム（Ｃｒ）などから形成されたものとすることができる。
【００１０】
また、フォトマスク１には、描画領域５が設けられている。  
描画領域５は、基板２の中央側領域に設けられている。描画領域５は、パターン６、検出マーク７が形成される領域である。
【００１１】
パターン６は、膜部３に設けられ、被転写体（例えば、ウェーハなど）に転写される回路パターンと、回路パターンに隣接して配置され、回路パターンの解像度を向上させるための補助パターンとを含むものとすることができる。
【００１２】
パターン６は、描画領域５において、膜部３の一部を選択的に除去することにより形成されている。すなわち、パターン６は、被転写体への転写ができる光強度を有する光を透過させることができる開口部などから構成されている。  
【００１３】
検出マーク７は、膜部３に設けられ、被転写体への転写が抑制されるように透過光の強度を抑制することができるようになっている。なお、被転写体への転写が抑制されることに関する詳細は後述する。  
検出マーク７は、フォトマスク１自体の精度を検査するために設けられる。例えば、フォトマスク１に検出マーク７が設けられていれば、既知のフォトマスク検査装置や寸法計測装置などを用いて検出マーク７の位置や検出マーク７同士の間の寸法を測定することができる。そのため、フォトマスク１の精度を容易かつ精密に検査計測することができる。
また、検出マーク７が複数設けられていれば、複数の検出マーク７に対する検出を行うことができるので、平均化効果により検出結果のばらつきを抑制することができるようになる。
【００１４】
ここで、一般的には、フォトマスクにおける回路パターンなどの位置ずれ欠陥（ミスプレースメント）は、検出データ（センサデータ）と参照データ（設計データ）とを比較することで検出される。この場合、他の回路パターンなどから離れた位置に設けられているいわゆる孤立ホールなどの位置ずれは検出することが困難となる。しかしながら、検出マーク７が複数設けられていれば、孤立ホールなどの近傍に設けられた検出マーク７を基準とすることができるので、孤立ホールなどの位置ずれ欠陥に対する検出精度を向上させることもできる。
【００１５】
また、基板２の一方の主面に設けられている膜部３には、残留応力がある。そのため、開口部でもある検出マーク７を膜部３に複数設けるようにすれば、残留応力を緩和させることができる。その結果、フォトマスク１の変形を抑制することができるので、パターン６の位置精度を向上させることができる。
【００１６】
また、露光装置にフォトマスク１を装着する場合には、露光装置に設けられた保持手段によりフォトマスク１が機械的に保持されることになる。この際、フォトマスク１に複数の検出マーク７が設けられていれば、フォトマスク１が機械的に保持された際に発生する歪み量などを検出することができるようになる。そして、例えば、歪み量などが大きすぎる場合には、フォトマスク１に対する保持力を弱めるなどしてフォトマスク１に発生した歪みを緩和させるようにすることもできる。
【００１７】
検出マーク７を用いて検出されたフォトマスク１の検出情報（例えば、描画領域５における位置ずれ情報など）は、次回製造されるフォトマスク（例えば、次回製造される同一仕様のフォトマスクや類似仕様のフォトマスクなど）の描画データにフィードバックされる。そのため、フォトマスクの精度を累積的に向上させることができるようになる。
【００１８】
次に、検出マーク７の形状や配設条件などについて例示する。  
検出マーク７を縁（エッジ）がある形状とすれば、検出を容易かつ精密に行うことができるので、検出マーク７の検出精度を向上させることができる。  
また、検出マーク７は、第１の方向に設けられた第１の縁と、第１の方向に交差する第２の方向に設けられた第２の縁と、を有したものとすることができる。その様にすれば、２方向における検出マーク７の検出精度を向上させることができる。
【００１９】
検出マーク７の形状としては、任意の直線からなる部分を有した形状とすることができる。例えば、検出マーク７の形状は、任意の多角形からなる部分を有した形状としたり、複数の任意の多角形が組み合わされた形状などとすることもできる。  
ここでは、一例として、検出マーク７の形状が十字形状である場合を例に挙げて説明する。  
検出マーク７の形状が、例えば、十字形状のように互いに直交する方向に縁がある形状である場合には、２次元方向における検出マーク７の検出精度を向上させることができる。
【００２０】
図２は、検出マークの配設形態を例示するための模式平面図である。  
図２（ａ）、（ｂ）においては、一例として、膜部３を貫通するパターンであるホール状のパターン６ａのみを描くようにしている。  
なお、図２（ａ）と図２（ｂ）とでは、ホール状のパターン６ａの寸法や配置が異なるが、検出マーク７が膜部３の部分、すなわち、ホール状のパターン６ａが設けられていない部分に設けられることに変わりはない。
【００２１】
検出マーク７は、例えば、図１（ａ）や図２（ａ）、（ｂ）に示すようにマトリクス状に設けられるようにすることができる。なお、図１（ａ）は検出マーク７の配設ピッチが１０ｍｍの場合、図２（ａ）は検出マーク７の配設ピッチが１ｍｍの場合、図２（ｂ）は検出マーク７の配設ピッチが１００μｍの場合である。  
ただし、検出マーク７の配設形態はマトリクス状に限定されるわけではなく、例えば、千鳥状のような他の規則的な配設形態であってもよいし、任意の位置に設けられるような配設形態であってもよい。
【００２２】
また、検出マーク７同士の間の寸法は一定（等ピッチ寸法）であってもよいし、異なるものであってもよい。また、検出マーク７同士の間の寸法が一定の部分と異なる部分とが混在するようにすることもできる。この場合、検出マーク７同士の間の寸法を大きくしすぎると、検査精度が低下するおそれがある。また、検出マーク７同士の間の寸法を小さくしすぎると、検出マーク７の数が多くなりすぎて計測効率が低下するおそれがある。そのため、検出マーク７同士の間の寸法や検出マーク７の数は、要求される検査精度や検査効率などに応じて適宜変更することができる。
【００２３】
また、検出マーク７の配設に分布を持たせるようにすることもできる。例えば、寸法精度が悪化しやすい部分が経験的に分かっている場合には、当該部分における検出マーク７同士の間の寸法を小さくしたり、検出マーク７の数を増加させたりすることができる。また、寸法精度が良好となりやすい部分が経験的に分かっている場合には、当該部分における検出マーク７同士の間の寸法を大きくしたり、検出マーク７の数を減少させたりすることができる。
【００２４】
ここで、検出マーク７は、膜部３の一部を選択的に除去することにより形成されているので、検出マーク７を光が透過することになるが、検出マーク７が被転写体に転写されないようになっている。検出マーク７が被転写体に転写されないようにすれば、検出マーク７を設ける位置に関する制限を大幅に緩和させることができる。そのため、検査計測にとって適切な位置に検出マーク７を容易に設けられるようになるので、フォトマスク１の検査精度を大幅に向上させることができるようになる。
【００２５】
すなわち、被転写体への転写が抑制されるように検出マーク７を透過する透過光の強度が抑制されるようになっている。例えば、検出マーク７の形状が矩形形状であったり、十字形状のように複数の矩形形状が組み合わされた形状であったりした場合には、矩形形状の幅寸法（短辺の長さ）を所定の値より小さくすれば検出マーク７が被転写体に転写されることを抑制することができる。
【００２６】
図３は、検出マーク７が被転写体に転写されないようにするための寸法条件などを例示するための模式図である。  
なお、図３は、検出マーク７の形状が十字形状である場合を例示するものである。  
この場合、例えば、露光光の波長が１９３ｎｍ程度であれば、十字形状を構成する矩形形状の幅寸法Ｗを１６０ｎｍ未満とすることで、検出マーク７が被転写体に転写されることを抑制することができる。また、十字形状を構成する矩形形状の幅寸法Ｗを１２０ｎｍ以下とすれば、検出マーク７が被転写体に転写されることをより確実に抑制することができる。
【００２７】
また、検出マーク７の転写を抑制するようにしても、パターン６の余り近くに検出マーク７が設けられれば、パターン６の転写精度などが影響を受ける場合がある。  
そのため、検出マーク７を中心とした所定の範囲内にパターン６（図３に例示をしたものの場合には、ホール状のパターン６）が入らないような位置に検出マーク７を設けるようにしている。  
本発明者の得た知見によれば、検出マーク７の中心から半径寸法Ｒが２μｍの範囲にパターン６が入らないようにすれば、検出マーク７がパターン６の転写精度などに与える影響を抑制することができる。この場合、半径寸法Ｒが２μｍの範囲内から検出マーク７がはみ出さないようにする必要がある。  
すなわち、検出マーク７は、パターン６と検出マーク７の中心との間の寸法が２μｍ以上となるように設けられるようにすればよい。
【００２８】
また、検出マーク７の解像度を低下させるようにすれば、検出マーク７が被転写体により転写され難くなる。  
この場合、検出マーク７が転写された際のコントラストが低くなるようにすれば、検出マーク７が被転写体により転写され難くなる。
【００２９】
図４は、転写された際のコントラストが低くなるような検出マークを例示するための模式図である。  
なお、図４（ａ）はコントラストの調整が行われる前の検出マークを例示するための模式図、図４（ｂ）は露光における照明形状を例示するための模式図、図４（ｃ）は被転写体におけるコントラストを例示するための模式図、図４（ｄ）はコントラストの調整が行われた後の検出マークを例示するための模式図である。  
ここで、図４（ｃ）は、図４（ａ）で例示をした検出マークが転写された際の様子をシミュレーションにより求めたものである。また、コントラストをモノトーン色の濃淡で表し、暗い部分ほど濃く、明るい部分ほど淡くなるように表示した。
【００３０】
図４（ａ）に例示をしたような十字形状を有した検出マーク１７に対して、図４（ｂ）に例示をしたような二眼照明（ダイポール照明）から露光光を照射すると、被転写体におけるコントラストは図４（ｃ）に例示をしたものとなる。  
【００３１】
この場合、図４（ｄ）に示すように、図４（ｃ）における明部１８に対応する位置に膜部１８ａ、暗部１９に対応する位置に開口部１９ａ（第１の制御部の一例に相当する）を設けるようにすれば、明部１８と暗部１９との明るさの差を小さくすることができるので、コントラストを低下させることができる。すなわち、検出マーク１７は、光を透過させることで被転写体におけるコントラストを低下させる開口部１９ａ、および膜部１８ａを有したものとすることができる。  
この様に、転写された際のコントラストが低くなるような検出マーク１７とすれば、露光条件に関する装置間格差や装置条件にばらつきなどがあったとしても被転写体により転写され難くすることができる。  
なお、図４（ｄ）に例示をしたものは、膜部１８ａと開口部１９ａとが設けられているが、転写された際のコントラストが低くなるように膜部１８ａおよび開口部１９ａの少なくともいずれかを設けるようにすればよい。
【００３２】
ここで、回路パターンの場合には解像度を向上させることができる位置に補助パターンを設けるようにするが、検出マーク１７の場合には解像度を低下させることができる位置に膜部１８ａおよび開口部１９ａの少なくともいずれかを設けるようにすることが異なる。
【００３３】
また、転写された際のコントラストが低くなるような検出マークの形状とすることもできる。  
図５は、転写された際のコントラストが低くなるような検出マークの形状を例示するための模式図である。  
例えば、検出マーク７の形状が十字形状などの場合には、被転写体において検出マーク７の中心近傍に対応する位置の明るさが明るくなる傾向にある。
【００３４】
この場合、例えば、図５（ａ）に例示をするように、中心から所定の寸法を空けて細長い矩形形状の開口部２７ａが放射状に設けられた検出マーク２７とすることで、被転写体において検出マーク２７の中心近傍に対応する位置の明るさが明るくなりすぎることを抑制することができる。
【００３５】
また、例えば、図５（ｂ）に例示をするように、中心から所定の寸法を空けて細長い矩形形状の開口部３７ａが枠状に設けられた検出マーク３７とすることで、被転写体において検出マーク３７の中心近傍に対応する位置の明るさが明るくなりすぎることを抑制することができる。  
すなわち、検出マークは、光の透過を抑制することで被転写体におけるコントラストを低下させる抑制部（第２の制御部の一例に相当する）を所定の位置に有したものとすることができる。  
なお、前述した膜部１８ａは、抑制部の一例に相当する。
【００３６】
[第２の実施形態]  
次に、第２の実施形態に係るフォトマスクの製造方法について例示する。  
図６は、第２の実施形態に係るフォトマスクの製造方法について例示をするための模式工程断面図である。
【００３７】
まず、図６（ａ）に示すように、石英ガラスなどから形成された基板２の一方の主面に基板２の光の透過率よりも低い光の透過率を有した膜部３を形成する。  
膜部３は、例えば、フッ化クロム系（ＣｒＦ）、モリブデンシリサイド系（ＭｏＳｉＯＮ、ＭｏＳｉＯ）、タングステンシリサイド系（ＷＳｉＯ）、ジルコニウムシリサイド系（ＺｒＳｉＯ）などの材料をスパッタリング法を用いて成膜することで形成するようにすることができる。
【００３８】
次に、膜部３の上面に積層させるようにして遮光膜４を成膜する。  
遮光膜４は、例えば、クロム（Ｃｒ）などをスパッタリング法を用いて成膜することで形成するようにすることができる。  
以上のようにして、フォトマスクブランクが形成される。
【００３９】
次に、図６（ｂ）に示すように、遮光膜４の上面にレジスト８を塗布する。レジスト８の塗布には、例えば、スピンコート法などの既知の塗布方法を用いることができる。  
そして、電子ビーム描画法などを用いて、予め作成された描画データに基づいてレジスト８に被転写体に転写されるパターン６（回路パターンや補助パターンなど）と検出マークとを描画する。  
この際、描画データに基づいて、被転写体への転写が抑制されるように透過光の強度が抑制された検出マークが描画される。  
また、描画される検出マークは、矩形形状を有し、矩形形状の幅寸法が１６０ｎｍ未満とされたものとすることができる。  
また、パターン６と検出マークの中心との間の寸法が２μｍ以上となるように描画されるようにすることができる。  
なお、描画される検出マークは、前述したものと同様とすることができるので、詳細な説明は省略する。
【００４０】
次に、パターン６と検出マークとが描画されたレジスト８をベーク処理し、アルカリ現像液を用いたスプレー現像を行うことでレジストマスクを形成する。  
そして、レジストマスクをエッチングマスクとして用い、ＲＩＥ（Reactive Ion Etching）法を用いて遮光膜４と膜部３とを順次除去する。
【００４１】
次に、ドライアッシング法、洗浄法などを用いてレジストマスクを除去する。  
次に、図６（ｃ）に示すように、描画領域５における遮光膜４をウェットエッチング法などを用いて除去することで、パターン６と検出マークとを有したフォトマスク１が製造される。
【００４２】
この様にして製造されたフォトマスク１は、半導体装置などの微細構造体を製造する際の露光工程において用いられる。  
また、検出マークを用いて、製造されたフォトマスク１の精度が検出され、検出されたフォトマスク１の検出情報が次回製造されるフォトマスク（例えば、次回製造される同一仕様のフォトマスクや類似仕様のフォトマスクなど）の描画データにフィードバックされる。
【００４３】
次に、一例として、検出されたフォトマスクの検出情報が次回製造されるフォトマスクの製造にフィードバックされる場合について例示する。  
図７は、フォトマスクの製造工程を例示するためのフローチャートである。  
図７に示すように、まず、フォトマスク１１（第１のフォトマスクに相当する）に関する描画データが作成される。なお、作成される描画データには、パターン６（回路パターンや補助パターンなど）に関するデータの他に、検出マークに関するデータも含まれている。
【００４４】
次に、前述したものと同様にして、フォトマスク１１を製造するための描画が行われる（ステップＳ１）。  
この際、パターン６とともに検出マークも描画される。  
次に、検出マークが描画されたフォトマスク１１の精度を検出マークを用いて検出する（ステップＳ２）。  
フォトマスク１１の精度の検出は、例えば、既知のフォトマスク検査装置や寸法検査装置などを用いて検出マークの位置や検出マーク同士の間の寸法を測定することにより行うようにすることができる。  
検出されたフォトマスク１１の精度に関する情報は、次回製造されるフォトマスク１１ａ（第２のフォトマスクに相当する）に係る描画データにフィードバックされる。例えば、検出されたフォトマスク１１の精度に基づいて描画データを修正するようにすることができる。
【００４５】
そして、露光工程において、フォトマスク１１を用いてパターン６を被転写体に転写する（ステップＳ３）。  
この際、フォトマスク１１に形成されている検出マークが被転写体に転写されることが抑制される。  
【００４６】
そして、フォトマスク１１の精度に関する情報がフィードバックされた描画データに基づいてフォトマスク１１ａを製造するための描画が行われる（ステップＳ１ａ）。  
すなわち、フォトマスク１１ａの製造において、修正された描画データに基づいて、パターン６が描画される。この際、パターン６とともに検出マークも描画される。  
次に、検出マークを用いてフォトマスク１１ａの精度を検出する（ステップＳ２ａ）。  検出されたフォトマスク１１ａの精度に関する情報は、次回製造されるフォトマスクに係る描画データにフィードバックされる。  
そのため、フォトマスクの精度を累積的に向上させることができるようになる。
【００４７】
そして、前述したものと同様に、露光工程において、フォトマスク１１ａを用いてパターン６を被転写体に転写する（ステップＳ３ａ）。  
【００４８】
以上に例示をした実施形態によれば、検査計測精度の向上を図ることができるフォトマスク及びその製造方法を実現することができる。  
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【００４９】
例えば、フォトマスク１１などが備える各要素の形状、寸法、材質、配置、数などは、例示をしたものに限定されるわけではなく適宜変更することができる。  
また、一例として、フォトマスクがハーフトーン型位相シフトマスクである場合を説明したがこれに限定されるわけではない。  
例えば、バイナリマスク、レベンソン型位相シフトマスク、クロムレス位相シフトマスクなどの各種のフォトマスクに適用することができる。
【符号の説明】
【００５０】
１  フォトマスク、２  基板、３  膜部、４  遮光膜、５  描画領域、６  パターン、６ａ  パターン、７  検出マーク、８  レジスト、１１  フォトマスク、１１ａ  フォトマスク、１７  検出マーク、１８ａ  膜部、１９ａ  開口部、２７  検出マーク、２７ａ  開口部、３７  検出マーク、３７ａ  開口部
【図１】
0005306391.tif 000002
【図２】
0005306391.tif 000003
【図３】
0005306391.tif 000004
【図５】
0005306391.tif 000005
【図６】
0005306391.tif 000006
【図７】
0005306391.tif 000007
【図４】
0005306391.tif 000008